(57)【要約】【課題】光ディスク単体又はカートリッジに格納された光ディスクいずれの場合でも、特殊な部材や駆動機構を用いることなく光ディスクへのデータの記録及び（又は）光ディスクからのデータの読出し精度を高める。【解決手段】光ディスク装置Ａは、ディスクトレイ１と、トラバースユニット２と、ローダーシャーシユニット３とを有し、ローダーシャーシユニット３は、カムスライダー３４と連動するクランプアーム８で光ディスクＤｓをクランプする。【選択図】図７
2007141356.tif 000002
【特許請求の範囲】
【請求項１】
動力源である駆動モータと、
光ディスク装置本体に対してスライドして開閉可能に設けられるものであり、下面に前記駆動モータの駆動力を受けるためのトレイラックと、連動機構であるガイド溝とを備え、上面に光ディスク単体を載置できる円形の溝と、内部に光ディスクを格納したカートリッジをずれないように支持するカートリッジ支持枠とが形成されたディスクトレイと、
前記光ディスクに対してレーザ光を照射するとともに、該光ディスクの内周又は外周へと往復摺動可能に設けられるものであり、前記駆動モータの駆動力を受けるとともに、ラックボスを具備したラックを備えた光ヘッドと、
前記ディスクトレイに対し昇降し、前記駆動モータの駆動力を受けるための摺動ボスを具備し、前記光ディスクを回動するためのスピンドルモータと及び前記スピンドルモータに回動可能に取り付けられ前記光ディスクを支持するターンテーブルが搭載されるトラバースシャーシと、前記ラックのラックボスに係合するトリガーガイドを具備し該光ヘッドの移動に連動するとともに、連結ボスを有するレバートリガーと、前記駆動モータの駆動力を伝達するための駆動力伝達歯車機構を備え、前記光ヘッドが摺動可能に取り付けられるトラバースユニットと、
前記駆動モータを搭載するとともに、前記駆動力伝達歯車機構と歯合して前記駆動モータの駆動力を受ける一方、該駆動力伝達歯車機構との歯合を解消し前記駆動力が伝達されないようにするための間欠部を具備するギアトレイと、前記ギアトレイと歯合するカムスライダーラックを具備するとともに、前記トラバースシャーシの摺動ボスが係合するカム溝、前記ディスクトレイのガイド溝と係合する立設ボス及び前記レバートリガーの連結ボスと係合する連結溝を具備し、該トラバースシャーシ及びディスクトレイを連動させる一方、前記レバートリガーの移動と連動するカムスライダーと、前記駆動モータを保持し、前記ギアトレイを回動可能に軸支するとともに、前記カムスライダーを摺動可能に支持するローダーシャーシとを備えるローダーシャーシユニットと、
クランププレートと、前記ターンテーブルと対向して配置されるクランプ部材と、前記クランププレートと一体的に形成され、前記クランプ部材を回動可能にかつ前記ディスクトレイ方向に抜けないように支持するクランプ支持部と、前記クランプ支持部に取り付けられるとともに前記クランプ部材を前記ターンテーブルに向けて付勢するための板ばね状の付勢部材と、前記ローダーシャーシと回動可能に係合する軸支部材と、前記クランプ部材が前記ディスクトレイより遠ざかる方向に付勢するコイルばね形状の弾性部材と、前記クランププレートより前記ディスクトレイ方向に突出する突出部とを備えるクランプアームとを含む光ディスク装置であって、
前記カムスライダーには前記クランプアームの突出部と当接する斜行部を備えた当接部が形成されており、該カムスライダーが摺動することで該当接部の斜行部が該突出部を押しクランプアームを揺動させ、前記クランプ部材と前記ターンテーブルにて前記光ディスクを挟着するものであり、前記ディスクトレイが前記ローダーシャーシ内部で停止しているときに前記クランプアームが駆動することを特徴とする光ディスク装置。
【請求項２】
光ディスク単体又はカートリッジに格納された光ディスクを載置し摺動することで光ディスクを挿入／排出するディスクトレイと、
前記光ディスクに対してレーザ光を照射させる摺動自在な光ヘッドと、
前記光ヘッド及び前記光ディスクを支持するターンテーブルを搭載した昇降自在なトラバースユニットと、
前記ディスクトレイの摺動、前記光ヘッドの摺動及び前記トラバースユニットの昇降の動力源になる駆動モータと、
前記トラバースユニットと、前記駆動モータを支持するローダーシャーシと、前記ディスクトレイの摺動方向と直交する方向に摺動し、前記トラバースシャーシ及び前記ディスクトレイを連動させるカムスライダーとを有するローダーシャーシユニットと、
前記光ディスクを前記ターンテーブルと挟着するクランプ部材を備えるクランプアームとを備えた光ディスク装置であって、
前記クランプアームは前記ローダーシャーシに揺動可能に支持されており、前記クランプ部材を回動可能且つ前記ディスクトレイ側に抜けないように支持するクランプ支持部と、前記クランプ支持部に取り付けられ、前記クランプ部材を前記ディスクトレイ側に付勢する付勢部材と、前記カムスライダーに設けられている当接部と当接する突出部と、前記クランプアームを前記クランプ部材が前記ディスクトレイより遠ざかる方向に付勢する弾性部材とを有しており、
前記カムスライダーが摺動することで該当接部の斜行部が該突出部を押しクランプアームを揺動させ、前記クランプ部材と前記ターンテーブルにて前記光ディスクを挟着することを特徴とする光ディスク装置。
【請求項３】
前記カムスライダーの当接部と前記クランプアームの突出部は前記ディスクトレイが停止した後に駆動し始めるように配置されていることを特徴とする請求項２に記載の光ディスク装置。
【請求項４】
前記当接部の斜行部は前記クランプアームに向けて傾斜している形状であることを特徴とする請求項２又は請求項３に記載の光ディスク装置。
【請求項５】
前記当接部の斜行部は前記ディスクトレイの排出側が傾斜しており、前記カムスライダーの摺動先端側が細くなる形状であることを特徴とする請求項２から請求項４のいずれかに記載の光ディスク装置。
【発明の詳細な説明】
【技術分野】
【０００１】
本発明は、光ディスクに記録された情報を読み出す又は光ディスクに情報を記録する光ディスク装置に関するものである。
【背景技術】
【０００２】
近年、映像、音声又は情報の記録媒体として、ＣＤ（Compact Disc）、ＤＶＤ（Digital Versatile Disc）等の光ディスクが多く用いられている。これら光ディスクを記録媒体として用いる光ディスク装置は該光ディスクの記録面に対しレーザ光を照射し、反射してきた光を検出することで、データの記録又は読出しを行っている。
【０００３】
前記光ディスク装置の多くは、前記光ディスクを載置するディスクトレイを有している。前記光ディスク装置は前記ディスクトレイに光ディスクを載置し、該ディスクトレイを摺動させ、該光ディスクを筐体内の所定位置へ搬送（ローディング）する。前記光ディスクがローディングされると該光ディスクを駆動するためのディスク駆動手段及び該光ディスクにレーザ光を照射するための光ヘッドが備えられたトラバースシャーシを移動し、前記光ディスクを前記ディスク駆動手段にて挟着（クランプ）する。その後、前記ディスク駆動手段で駆動される前記光ディスクを駆動しつつ、前記光ヘッドを該光ディスクの径方向に移動させ、該光ヘッドから該光ディスクへレーザ光を照射することで、データの記録又は読出しを行う。
【０００４】
前記光ディスクを排出（アンローディング）するとき、前記トラバースシャーシをローディング時と反対方向に移動させ、該光ディスクを離し、前記ディスクトレイを排出方向に摺動させて光ディスクをアンローディングする。
【０００５】
近年、光ディスクの記憶容量は大容量化している。光ディスクは記憶容量にかかわらず、外径に変化がない。すなわち、前記光ディスクの記録ピットは細くなっており、それだけ、該光ディスクの表面に付着するよごれ、埃、塵等の異物の付着によって、データの記録又は読出しの精度が低下することがある。そこで、大容量の光ディスクの場合、カートリッジに格納されているものが多い。
【０００６】
例えば、特開２００２−３０４７９６号公報や、特開２００３−１６２８６１号公報に記載の光ディスク装置では、一台で異なる容量の光ディスクにデータを記録又は異なる容量の光ディスクよりデータを読出すことができるものが示されている。すなわち、カートリッジ内に配置された光ディスク及びそれ単体で取り扱われる光ディスクの両方をトレイを用いてローディング又はアンローディングすることができる光ディスク装置が示されている。
【０００７】
前記光ディスク装置では前記カートリッジに格納されている光ディスクもクランプする場合があり、光ディスクをクランプするための空間が少ないので、光ディスクの両サイドよりクランプする機構を備えている。
【特許文献１】特開２００２−３０４７９６号公報
【特許文献２】特開２００３−１６２８６１号公報
【発明の開示】
【発明が解決しようとする課題】
【０００８】
前記特開２００２−３０４７９６号公報及び特開２００３−１６２８６１号公報に記載の発明では、光ディスクをクランプするためのクランプアームが備えられており、このクランプアームはディスクトレイに押されることで、光ディスクをクランプするためのクランパーが移動するものが示されている。
【０００９】
しかしながら、上述のような前記ディスクトレイの動作に連動する前記クランプアームの場合、光ディスクが停止する前にクランプアームが始動するので、光ディスクがクランプのための位置に到着する前に、クランパーが光ディスクをクランプする位置に移動する場合もあり、該クランパーがカートリッジや光ディスクに接触して、クランプ精度が低下する。
【００１０】
これにより、前記光ディスクをクランプするときに、光ディスクの記録面がクランパー、カートリッジ等と接触して光ディスクを傷つけたり、確実にクランプできなくなったりし、光ディスク装置でのデータの記録、読出しが安定的にできなくなる。
【００１１】
そこで本発明は、上記の問題に鑑みてなされたものであり、挿入される光ディスクが光ディスク単体又はカートリッジに格納された光ディスクいずれの場合でも、該光ディスクを高精度で確実にクランプすることができ、それだけ、光ディスクへのデータの記録及び（又は）光ディスクからのデータの読出し精度を高めることができる光ディスク装置を提供することを目的とする。
【００１２】
また本発明は、上記の問題に鑑みてなされたものであり、特殊な部材や駆動機構を用いることなく、光ディスク単体又はカートリッジに格納された光ディスクのクランプ動作を高精度で確実に行うことができ、それだけ、製造に必要な手間、時間を低減することができ、低コスト化、省エネルギ化することができる光ディスク装置を提供することを目的とする。
【課題を解決するための手段】
【００１３】
上記目的を達成するために本発明は、光ディスク単体又はカートリッジに格納された光ディスクを載置し摺動することで光ディスクを挿入／排出するディスクトレイと、前記光ディスクに対してレーザ光を照射させる摺動自在な光ヘッドと、前記光ヘッド及び前記光ディスクを支持するターンテーブルを搭載した昇降自在なトラバースユニットと、前記ディスクトレイの摺動、前記光ヘッドの摺動及び前記トラバースユニットの昇降の動力源になる駆動モータと、前記トラバースユニットと、前記駆動モータを支持するローダーシャーシと、前記ディスクトレイの摺動方向と直交する方向に摺動し、前記トラバースシャーシ及び前記ディスクトレイを連動させるカムスライダーとを有するローダーシャーシユニットと、前記光ディスクを前記ターンテーブルと挟着するクランプ部材を備えるクランプアームとを備えた光ディスク装置であって、前記クランプアームは前記ローダーシャーシに揺動可能に支持されており、前記クランプ部材を回動可能且つ前記ディスクトレイ側に抜けないように支持するクランプ支持部と、前記クランプ支持部に取り付けられ、前記クランプ部材を前記ディスクトレイ側に付勢する付勢部材と、前記カムスライダーに設けられている当接部と当接する突出部と、前記クランプアームを前記クランプ部材が前記ディスクトレイより遠ざかる方向に付勢する弾性部材とを有しており、前記カムスライダーが摺動することで該当接部の斜行部が該突出部を押しクランプアームを揺動させ、前記クランプ部材と前記ターンテーブルにて前記光ディスクを挟着することを特徴とする。
【００１４】
この構成によると、前記クランプアームと前記ディスクトレイが連動しないので、該ディスクトレイの動作と該クランプアームの陽動による光ディスクのクランプ動作のタイミングを常に正確に保つことができる。
【００１５】
このことにより、前記ディスクトレイと前記クランプアームの動作タイミングのずれによる光ディスクのクランプミスの発生や、光ディスク所定の場所意外に前記クランプ部材が接触することによる、汚れの付着や傷の発生を抑制することができる。
【００１６】
また、前記ディスクトレイが挿入／排出されるときに、前記クランプアームがディスクトレイ、カートリッジ等と接触するのを抑制することができ、それだけ、安定してデータの記録／読出しを行うことができる。
【００１７】
上記構成において、前記カムスライダーの当接部と前記クランプアームの突出部は前記ディスクトレイが停止した後に駆動し始めるように配置されていてもよい。このことは、光ディスクが光ディスク装置のデータ記録／読出し位置に停止している状態で、該光ディスクをクランプするので、前記クランプアームがクランプ動作を行うときに、前記ディスクトレイが駆動し接触するのを防ぐことができ、それだけ、精度良く、円滑に且つ安定してデータの記録／読出し動作を行うことができる。
【００１８】
上記構成において、前記当接部の斜行部が前記クランプアームに向けて傾斜している形状であってもよく、前記ディスクトレイの排出側が傾斜しており、前記カムスライダーの摺動先端側が細くなる形状であってもよい。
【００１９】
前記斜行部の形状は、これらに限られるものではなく、前記クランプアームの突出部と当接して前記カムスライダーの摺動にあわせて、該突出部を押し、前記クランプアームを陽動させることができるものを広く採用することができる。
【００２０】
前記弾性部材として、コイルばね、ねじりばね、板ばね等を用いるものを挙げることができる。また、これらに限定されるものではなく、前記クランプアームを前記クランプ部材が前記ディスクトレイよりはなれる方向に弾性的に付勢することができるものを広く採用することができる。
【００２１】
前記付勢部材として、板ばねを用いるものを挙げることができる。また、片持ち梁で形成され、自由端側にばねが取り付けられており、梁の中間部でクランプ部材を押すもの等、クランプ部材が前記光ディスクをクランプしたときに、該クランプ部材を前記ターンテーブル側に押え、前記光ディスクが滑らないようにクランプすることができるものを広く採用することができる。
【００２２】
なお本発明の光ディスク装置を詳細に説明すると、動力源である駆動モータと、光ディスク装置本体に対してスライドして開閉可能に設けられるものであり、下面に前記駆動モータの駆動力を受けるためのトレイラックと、連動機構であるガイド溝とを備え、上面に光ディスク単体を載置できる円形の溝と、内部に光ディスクを格納したカートリッジをずれないように支持するカートリッジ支持枠とが形成されたディスクトレイと、前記光ディスクに対してレーザ光を照射するとともに、該光ディスクの内周又は外周へと往復摺動可能に設けられるものであり、前記駆動モータの駆動力を受けるとともに、ラックボスを具備したラックを備えた光ヘッドと、前記ディスクトレイに対し昇降し、前記駆動モータの駆動力を受けるための摺動ボスを具備し、前記光ディスクを回動するためのスピンドルモータと及び前記スピンドルモータに回動可能に取り付けられ前記光ディスクを支持するターンテーブルが搭載されるトラバースシャーシと、前記ラックのラックボスに係合するトリガーガイドを具備し該光ヘッドの移動に連動するとともに、連結ボスを有するレバートリガーと、前記駆動モータの駆動力を伝達するための駆動力伝達歯車機構を備え、前記光ヘッドが摺動可能に取り付けられるトラバースユニットと、前記駆動モータを搭載するとともに、前記駆動力伝達歯車機構と歯合して前記駆動モータの駆動力を受ける一方、該駆動力伝達歯車機構との歯合を解消し前記駆動力が伝達されないようにするための間欠部を具備するギアトレイと、前記ギアトレイと歯合するカムスライダーラックを具備するとともに、前記トラバースシャーシの摺動ボスが係合するカム溝、前記ディスクトレイのガイド溝と係合する立設ボス及び前記レバートリガーの連結ボスと係合する連結溝を具備し、該トラバースシャーシ及びディスクトレイを連動させる一方、前記レバートリガーの移動と連動するカムスライダーと、前記駆動モータを保持し、前記ギアトレイを回動可能に軸支するとともに、前記カムスライダーを摺動可能に支持するローダーシャーシとを備えるローダーシャーシユニットと、クランププレートと、前記ターンテーブルと対向して配置されるクランプ部材と、前記クランププレートと一体的に形成され、前記クランプ部材を回動可能にかつ前記ディスクトレイ方向に抜けないように支持するクランプ支持部と、前記クランプ支持部に取り付けられるとともに前記クランプ部材を前記ターンテーブルに向けて付勢するための板ばね状の付勢部材と、前記ローダーシャーシと回動可能に係合する軸支部材と、前記クランプ部材が前記ディスクトレイより遠ざかる方向に付勢するコイルばね形状の弾性部材と、前記クランププレートより前記ディスクトレイ方向に突出する突出部とを備えるクランプアームとを含む光ディスク装置であって、前記カムスライダーには前記クランプアームの突出部と当接する斜行部を備えた当接部が形成されており、該カムスライダーが摺動することで該当接部の斜行部が該突出部を押しクランプアームを揺動させ、前記クランプ部材と前記ターンテーブルにて前記光ディスクを挟着するものであり、前記ディスクトレイが前記ローダーシャーシ内部で停止しているときに前記クランプアームが駆動することを特徴とするものである。
【発明の効果】
【００２３】
本発明によると、挿入される光ディスクが光ディスク単体又はカートリッジに格納された光ディスクいずれの場合でも、該光ディスクを高精度で確実にクランプすることができ、それだけ、光ディスクへのデータの記録及び（又は）光ディスクからのデータの読出し精度を高めることができる光ディスク装置を提供することができる。
【００２４】
また本発明によると、特殊な部材や駆動機構を用いることなく、光ディスク単体又はカートリッジに格納された光ディスクのクランプ動作を高精度で確実に行うことができ、それだけ、製造に必要な手間、時間を低減することができ、低コスト化、省エネルギ化することができる光ディスク装置を提供することができる。
【発明を実施するための最良の形態】
【００２５】
以下に本発明の実施形態を図面を参照して説明する。図１〜図６は本発明にかかる光ディスク装置を示している。図１は光ディスク装置の斜視図であり、図２は上方から見た光ディスク装置の概略構成図を示している。図３は光ディスク装置の内部を上方から見た概略構成図であり、図４は下方から見た光ディスク装置内部の概略構成図である。図５及び図６はそれぞれ図３に示す光ディスク装置の内部をフロントパネル側、側方から見た概略構成図である。なお、便宜上、図３〜図６においては、ディスクトレイ自体を省略し、後述のガイド溝１１及びトレイラック１２のみを図示している。
【００２６】
光ディスク装置Ａはローディングされた光ディスクにレーザ光を照射し、データの読出し及び（又は）書込みを行うものである。図２に示すように光ディスク装置Ａは、ディスクトレイ１と、トラバースユニット２と、ローダーシャーシユニット３とを有している。光ディスク装置ＡはカートリッジＣｄに格納された光ディスクＤｓと、光ディスクＤｓ単体との両方にデータを記録したり、両方からデータを読出したりすることができる。本実施例ではカートリッジＣｄに格納された光ディスクについて説明しているが、光ディスク単体の場合も同様である。
【００２７】
<ディスクトレイについて>
図１に示すように光ディスク装置Ａはディスクトレイ１が、外装ハウジングＯｈのフロントパネルＦｐに設けられたスリット状の出入り口Ｓｔから、出入りできるように配置されている。
【００２８】
ディスクトレイ１が出入り口Ｓｔより光ディスク装置Ａの外部に排出されている状態で光ディスクを載置し、ディスクトレイ１を挿入することで光ディスクを再生／記録可能な領域に挿入（ローディング）する。また、ディスクトレイ１を光ディスク装置Ａより排出することで光ディスク装置Ａ内部に挿入されている光ディスクを排出（アンローディング）する。
【００２９】
図４に示すようにディスクトレイ１の下面に段階的に屈曲するガイド溝１１と、後述のギアトレイ３３から駆動力を伝達されるトレイラック１２がディスクトレイ１の長手方向に設けられている。ガイド溝１１はディスクトレイ１の摺動方向に延びる直線部１１１と、所定の位置で斜めに屈曲する斜行部１１２と、さら
に摺動方向と直交するように屈曲する直交部１１３とを有している。
【００３０】
ディスクトレイ１はカートリッジＣｄに格納された光ディスクＤｓを載置するときに、カートリッジＣｄがずれるのを防ぐためのカートリッジ支持枠１３と、光ディスクＤｓをそのまま配置し、光ディスクＤｓがずれるのを防ぐ円形状のディスク配置溝１４とを有している。ディスク配置溝１４は、大径（直径１２ｃｍ）の大溝１４１と、大溝１４１の中心部に小径（直径８ｃｍ）の小溝１４２とを有している。
【００３１】
なお、フロントパネルＦｐが設けられている方向をフロント側（「Ｆ」）、フロント側に対向する方向をリア側（「Ｒ」）と表現する。また、フロント側からリア側に延びる方向に対する垂直横行をサイド側（「Ｓ」）と表す。
【００３２】
<トラバースユニットについて>
図３に示すようにトラバースユニット２は、トラバースシャーシ２１に、光ヘッド４、レバートリガー５、スピンドルモータ６及び駆動力伝達歯車機構７を取り付けたものである。トラバースシャーシ２１は、ローダーシャーシ３１のリア側の一端に取付ねじにてねじ止めされている。
【００３３】
図２に示すように、トラバースシャーシ２はトラバースシャーシ２１に設けられた取付孔に、該孔自体の周囲（円周）及び軸方向の両端側を覆い、且つ、ローダーシャーシ３１に設けられたボスを挿入できる開口を有するフローティングゴム（ダンパー）２１０を嵌め込みにて介在させ、ボスが取付孔を貫通するように、トラバースシャーシ２１を載置し、トラバースシャーシ２１の取付孔とローダーシャーシ３１のボスとを、取付ねじで固定させている。
【００３４】
取付ねじは、ねじ頭とローダーシャーシ３１の間が一定の間隔になるように、取付固定されている。この間隔を利用して、トラバースシャーシ２１（トラバースユニット２）は取付ねじを支点として回転移動が可能となり、光ディスクからデータを読み出す又は光ディスクにデータを書き込む場合には、上昇して光ディスクを挟持する（クランプする）。また、光ディスクを排出する場合には、トラバースシャーシ２１（トラバースユニット２）は下降し、光ディスクがディスクトレイ１に載置された状態（光ディスクと後述のターンテーブルが離れている状態）にする。
【００３５】
光ヘッド３は光ディスクにレーザ光を照射してデータを読出し又は記録するものであり、トラバースシャーシ２１に設けられたガイド軸２１１に沿って摺動するように取り付けられている。光ディスクに対してレーザ光を照射する対物レンズ３１を備えている。また、図示を省略しているが、レーザ光を出射するレーザ光源、光ディスクで反射したレーザ光を受光し電気信号に変換する受光素子等の光学部品が配置されている。
【００３６】
なお、光ヘッド４には、後述の駆動モータ９の駆動力が伝達されるラック４２が設けられている。ラック４２は下部に光ヘッド３に一体的に形成されるメインラック４２１と、メインラック４２１と重なるように上部に配置されるサブラック４２２とを有している。つまり、ラック４２はメインラック４２１とサブラック４２２が重なったダルブラックとなっている。
【００３７】
メインラック４２１は後述する第１歯車７１と歯合し、駆動モータ９の駆動力を受けて光ヘッド４の摺動を行う。また、サブラック４２２はメインラック４２１に対してスライド可能に取り付けられており、メインラック４２１とサブラック４２２はギア歯が平面視でずれるように、コイルばねにて付勢されている。メインラック４２１とサブラック４２２のギア歯が上述のとおりずれることで、第１歯車７１のギア歯を挟むのでバックラッシュを取り除くことができる。
【００３８】
ラック４２では、サブラック４２２のギア歯がメインラック４２１のギア歯よりも長く形成されており、サブラック４２２のギア歯がメインラック４２１のギア歯に対してリア側に長くなるように重ねて配置される。これにより、光ヘッド４の位置によっては、メインラック４２１とサブラック４２２とが第１歯車７１と歯合している、サブラック４２２のみが第１歯車７１と歯合している及びメインラック４２１、サブラック４２２いずれもが第１歯車７１と歯合していない場合がある。
【００３９】
また、サブラック４３２の先端には、後述するレバートリガー５のトリガーガイド５１に摺動可能に係合するラックボス４２３が形成されている（立設されている）。
【００４０】
光ヘッド４が光ディスクの内周側に摺動し、光ヘッド４の移動の限界部まで来ると、メインラック４２１と第１歯車７１との歯合がはずれ、光ヘッド４の摺動は停止する。このとき、サブラック４２２はまだ第１歯車７１と歯合しており、サブラック４２２は光ディスクの内周側にさらに摺動する。
【００４１】
レバートリガー５は、ラックボス４２３が係合するトリガーガイド５１（図３参照）と、後述のカムスライダー３４の連結溝３４１と嵌合する連結ボス５２（図４、図５参照）とを有している。レバートリガー５はラックボス４２３の位置（移動）に応じてサイド方向（ディスクトレイ１の移動方向に対して直行する方向）に往復移動するように、トラバースシャーシ２１に取り付けられている。レバートリガー５はサブラック４２２が摺動し、ラックボス４２３がトリガーガイド５１の側部を押すことで、サイド方向に移動する。このとき、カムスライダー３４の連結溝３４１を連結ボス５２が押し、カムスライダー３４を移動させる。
【００４２】
スピンドルモータ６は光ディスクを支持するためのターンテーブル６１を有しており、ターンテーブル６１は後述のクランプ部材８０と光ディスクＤｓを挟着（クランプ）する。スピンドルモータ６はクランプされた光ディスクを回転させるモータである。
【００４３】
トラバースシャーシ２１は、カムスライダー３４のカム溝３４３に係合する摺動ボス２１２を有しており、カムスライダー３４の移動に連動して、トラバースシャーシ２１を昇降させるものである。
【００４４】
駆動力伝達歯車機構７は、第１歯車７１、第２歯車７２、第３歯車７３を有している。各歯車はトラバースシャーシ２１に回動可能に軸支持されている。駆動力伝達歯車機構７はローダーシャーシユニット２（図６参照）に設けられる駆動モータ９からの駆動力を、ディスクトレイ１の往復移動、光ヘッド４の往復移動及びカムスライダー３４の移動のために伝達するものである。
【００４５】
第１歯車７１は、駆動モータ９の出力軸９０（後述）に取り付けられたピニオンギア９１（後述）より、駆動力が伝達される第１大歯車７１１と、第１大歯車７１１と同一の中心軸上、下部（ローダーシャーシ３１に近づく方向）に設けられ、光ヘッド４のラック４２に駆動力を伝達する第１小歯車７１２とを有している。すなわち、第１大歯車７１１が上方に、第１小歯車７１２が下方に同軸上で軸支されるように構成されている。
【００４６】
第２歯車７２は、第１歯車７１からの駆動力が伝達される第２大歯車７２１と、第２大歯車７２１と同一の中心軸上、下部（ローダーシャーシ３１に近い方向）に設けられ、第３歯車７３に駆動力を伝達する第２小歯車７２２とを有している。すなわち、第２大歯車７２１が上方に、第２小歯車７２２が下方に同軸上で軸支されるように構成されている。
【００４７】
第３歯車７３は、第２小歯車７２２から駆動力を伝達される歯車であり、トラバースシャーシ２１上に回動可能に軸支されている。
【００４８】
<ローダーシャーシユニットについて>
ローダーシャーシユニット３は、図２及び図３に示すように、ローダーシャーシ３１、ギアトレイ３３、カムスライダー３４、駆動モータ９及びクランプアーム８を有している。ローダーシャーシ３１は、トラバースユニット２を収容する本体シャーシであり、ギアトレイ３３、カムスライダー３４、駆動モータ９、クランプアーム８を備えるように構成されている。
【００４９】
ギアトレイ３３は、第３歯車７３から駆動力が伝達される歯車であり、ローダーシャーシ３１に回動可能に軸支持される。ギアトレイ３３には、軸方向に、一部欠損する欠損部３３１（図６参照）が設けられており、第３歯車７３と歯合する場合、歯合しない場合を角度およびトラバースユニット２の高さによって選択的に作り出すことができるようになっている。
【００５０】
駆動モータ９は、ディスクトレイ１の摺動動作、光ヘッド４の往復移動及びカムスライダー３４の往復移動（トラバースユニット２の昇降移動）のための動力源である。駆動モータ９の出力軸９０にはピニオンギア９１がはめ込まれており、ピニオンギア９１は出力軸９０と共に回転する。ピニオンギア９１は第１大歯車７１１と歯合している。
【００５１】
カムスライダー３４は、レバートリガー５の連結ボス５２が係合する連結溝３４１（図５参照）、ディスクトレイ１の下面のガイド溝１１に係合する立設ボス３４２（図３、５等参照）、トラバースシャーシ２１の摺動ボス２１２と係合するカム溝３４３（図５参照）及びギアトレイ３３と歯合するカムスライダーラック３４４と、カムスライダーラック３４４の摺動方向の先端部には後述のクランプアーム８に備えられた突出部８５と当接する当接部３４５と、ディスクトレイ１のディスク配置面と対向して配置されるカバー部材３５とを有している。
【００５２】
カムスライダー３４は、ローダーシャーシ３１のフロント側に、ディスクトレイ１の移動方向に対して直交する方向に摺動可能に配置されている。また、カム溝３４３は、カムスライダー３４が配置された状態でトラバースシャーシ２１の昇降運動の上下方向に配置される上側カム溝３４３１と下側カム溝３４３２とを有しており、上側カム溝３４３１と下側カム溝３４３２とを連結する傾斜カム溝３４３３とを有している。カム溝３４３には、トラバースシャーシ２１の摺動ボス２１２が貫通しており、摺動ボス２１２が上側カム溝３４３１に位置するように移動すればトラバースシャーシ２１（トラバースユニット２）が上昇し、下側カム溝３４３２に位置するように移動すればトラバースシャーシ２１（トラバースユニット２）が下降する。
【００５３】
当接部３４５は、カムスライダー３４の摺動方向に細くなる斜行部３４５１を有しており、斜行部３４５１に突出部８５が当接し相対的に摺動することで、突出部８５は斜行部３４５１に押され、クランプアーム８は軸支部材８３を中心に揺動する。また、カムスライダー３４のスライダーラック３４４の反対側に、弾性変形することができる既知のストッパ部材（図示省略）が備えられている。ストッパ部材は弾性変形することができるものであり、ストッパ部材はカムスライダー３４が端部まで移動したときに、ローダーシャーシ３１に設けられた凸部（図示省略）と係合し、大きな力が付与しない限り逆方向に移動するのを抑制する。
【００５４】
図７はクランプアームの平面図であり、図８はクランプアームの側面図である。クランプアーム８はローダーシャーシ３１のディスクトレイ１の上面（ディスク配置面）に対向して回動可能に支持されるものである。クランプアーム８は本体部であるクランププレート８１と、光ディスクＤｓの記録面と反対側より押えるクランプ部材８０と、クランププレート８１に一体的に形成され、クランプ部材８０を回動可能に支持するクランプ支持部８２と、ローダーシャーシ３１にクランプアーム８を揺動可能に軸支するための軸支部材８３と、軸支部材８３に配置され、クランプアーム８をクランプ部材８０がディスクトレイ１より遠ざかる方向に付勢するばね部材８４と、クランププレート８１よりディスクトレイ１方向に突出する突出部８５を備えている。
【００５５】
図７に示すようにクランプアーム８のクランプ支持部８２にはクランプ押え部材８６が取り付けられている。クランプ押え部材８６はそれには限定されないが、ここでは、板ばねで形成されている。クランプ押え部材８６はターンテーブル６１と光ディスクＤｓを挟着するときに、ターンテーブル６１が回転するときに、光ディスクＤｓが滑ったり、ずれたりしないようにクランプ部材８０を押圧するものである。また、クランプ押え部材として、十分に押圧することができるものを広く採用することができるが、クランプアーム８を光ディスクＤｓから離れる方向に付勢するので、構造が簡単で、軽量であるものが好ましい。
【００５６】
カバー部材３５には、ディスクトレイ１が移動する方向に延びる溝３５１が形成されている。溝３５１はリア方向に向かって湾曲しており、溝３５１に摺動可能に係合される摺動部材３５２が配置されている。摺動部材３５２はディスクトレイ１と接触しないように配置されている。摺動部材３５２はカートリッジＣｄに格納された光ディスクＤｓがトレイに配置されると、カートリッジＣｄのシャッターＳｈと係合する。摺動部材３５２がシャッターＳｈと係合した状態で、ディスクトレイ１をリア方向に移動すると、摺動部材３５２が溝３５１に沿って摺動し、シャッターＳｈがカートリッジＣｄに沿って摺動して開く。摺動部材３５２は図示を省略した弾性部材にてフロント方向に付勢されている。
【００５７】
<各部材の移動について>
ここで各部材（光ヘッド４、トラバースユニット２、ディスクトレイ１）の移動について、図１〜図１２、特に図９〜図１２を参照にしながら説明する。図９〜図１２において「実線」は機械的固定（例えば、圧入やねじ止め等）を、「一点鎖線」はギア歯による歯合を意味している。また、「二重線」はカムによる係合を、「破線」は、遮断された関係を意味している。その移動工程や切り替え工程に寄与する部材については、ドットでハッチングしている。
【００５８】
<ディスクトレイの移動（トレイクローズ）について（図９参照）>
本発明の光ディスク装置Ａにおけるディスクトレイ１の移動について説明する。例えば、ＤＶＤ等の光ディスクの記録又は再生のために、光ディスクＤｓを光ディスク装置Ａにローディングする場合、すなわち、ディスクトレイ１をクローズさせる場合を考える。
【００５９】
ディスクトレイ１に光ディスクＤｓ単体又はカートリッジＣｄに格納された光ディスクＤｓが配置され、使用者によりディスクトレイ１をクローズする指示がなされると、駆動モータ９がＡ１方向に回転する。駆動モータ９の回転に伴い、ピニオンギア９１もＡ１方向に回転する。そして、このピニオンギア９１と歯合する第１大歯車７１１がＢ１方向に回転する。そうすると、第１大歯車７１１と連なっている（連設されている）第１小歯車７１２もＢ１方向に回転し、この第１小歯車７１２と歯合するラック４２（メインラック４２１、サブラック４２２）がＣ１方向に移動する。このラック４２が取り付けられている光ヘッド４もＣ１方向に移動する。
【００６０】
ピニオンギア９１と第１大歯車７１１、第１小歯車７１２と第２大歯車７２１、第２小歯車７２２と第３歯車７３とは常時歯合しており、第２小歯車７２２と第３歯車７３には常に駆動モータ９からの駆動力が伝達されるようになっている。また、ディスクトレイ１の移動時には、第３歯車７３はギアトレイ３３と歯合しており第３歯車７３介してギアトレイ３３に駆動力が伝達され、ギアトレイ３３と歯合しているトレイラック１２はＤ１方向に移動する。すなわち、ディスクトレイ１がフロント側からリア側へと移動し、フロントパネルＦｐのスリット状の出入り口Ｓｔからディスクトレイ１が挿入される。
【００６１】
<ディスクトレイの移動からトラバースユニットの移動への切り替えについて（図１０参照）>
ディスクトレイ１がリア方向に移動するとき、ディスクトレイ１の下面に設けられたガイド溝１１とカムスライダー３４の立設ボス３４２とが係合している。ディスクトレイ１がリア方向へ摺動し始めたときは、立設ボス３４２はガイド溝１１の直線部１１１と係合しており、カムスライダー３４は停止したままである。
【００６２】
ディスクトレイ１が移動し、立設ボス３４２が斜行部１１２に差し掛かると、立設ボス３４２が斜行部１１２より押され、カムスライダー３４がディスクトレイ１の移動方向と直交するＥ１方向（ギアトレイ３３に近づく方向）に摺動し始める。ディスクトレイ１がさらに移動し、立設ボス１１２が斜行部１１２の端部に到達すると、トレイラック１２はギアトレイ３３から離反するとともに、カムスライダー３４のカムスライダーラック３４４がギアトレイ３３と歯合する。
【００６３】
<トラバースユニットの移動（上昇）について（図１１参照）>
カムスライダー３４のカムスライダーラック３４４がギアトレイ３３と歯合して、ギアトレイ３３の回転にあわせてカムスライダー３４がＥ１方向に移動する。カムスライダー３４のカム溝３４３をトラバースシャーシ２１の摺動ボス２１２が貫通しており、カム溝３４３の移動にあわせて摺動する。ディスクトレイ１が排出されている状態では摺動ボス２１２はカム溝３４３の下側カム溝３４３２と係合しており、トラバースユニット２は光ディスクＤｓより遠くに位置している。
【００６４】
カートリッジＣｄに格納された光ディスクＤｓがトレイに配置されている場合、ディスクトレイ１がある程度クローズしたときに、摺動部材３５２とカートリッジＣｄのシャッターＳｈとが係合する。摺動部材３５２がシャッターＳｈと係合した状態で、ディスクトレイ１がリア方向（Ｄ１方向）に移動すると、摺動部材３５２が溝３５１に沿って摺動し、シャッターＳｈがカートリッジＣｄに沿って摺動し、シャッターＳｈが開き、光ディスクＤｓの一部が露出する。
【００６５】
また、レバートリガー５は連結ボス５２を有しており、連結ボス５２は連結溝３４１と係合しており、トラバースユニット２の移動にあわせて移動する。このときレバートリガー５は移動しない。このとき、レバートリガー５のトリガーガイド５１にラックボス４２３が係合しており、光ヘッド４が光利ディスクの内周側の退避位置に、摺動しないように保持されている。
【００６６】
カムスライダー３４がさらにＥ１方向に移動すると、摺動ボス２１２はカム溝３４３の傾斜カム溝３４３３と係合する。摺動ボス２１２が傾斜カム溝３４３３と係合し、カムスライダー３４がＥ１方向に移動することで、摺動ボス２１２が傾斜カム溝３４３３に押され、トラバースユニット２は光ディスクＤｓに近づく方向に移動する。レバートリガー５もトラバースシャーシ２１と連動して光ディスクＤｓに近づく方向に移動する。
【００６７】
カムスライダー３４がさらにＥ１方向に移動すると摺動ボス２１２が傾斜カム溝３４３３から、上側カム溝３４３１に到達する。このとき、トラバースユニット２に配置されているターンテーブル６１が光ディスクＤｓをディスクトレイ１又はカートリッジＣｄより持ち上げた状態で保持している。
【００６８】
<トラバースユニットの移動から光ヘッドの移動の切り替えについて（図１１参照）>
カムスライダー３４がさらにＥ１方向に移動すると、摺動ボス２１２は上側カム溝３４３１と係合し、トラバースユニット２の移動は停止する。レバートリガー５の連結ボス５２は摺動ボス２１２が上側カム溝３４３１と係合した直後に、連結溝３４１の端部に押され、レバートリガー５がトラバースシャーシ２１に対して摺動する。レバートリガー５が摺動することで、トリガーガイド５１とラックボス４２３との係合がはずれ、光ヘッド４が摺動可能になる。
【００６９】
<光ディスクのクランプ及び光ヘッドの移動について（図１２参照）>
さらにカムスライダー３４がＥ１方向に移動することで、カムスライダー３４の当接部３４５がクランプアーム８に設けられた突出部８５と当接する。クランプアーム８の突出部８５が当接部３４５と当接した状態で、カムスライダー３４がＥ１方向に移動すると、突出部８５は当接部３４５の斜行部３４５１にてＦ１方向押され、クランプアーム８が軸支部材８３を中心にＧ１方向に回動する。カムスライダー３４が最も奥まで移動すると、クランプアーム８が回動し、クランプ支持部８２に支持されているクランプ部材８０が光ディスクＤｓをターンテーブル６１の反対側より押圧し光ディスクＤｓをディスクトレイ１又はカートリッジＣｄと接触しないように挟持する。
【００７０】
このとき、トラバースユニット２に取り付けられている第３歯車７３がギアトレイ３３の欠損部３３１に移動し、第３歯車７３からギアトレイ３３への駆動力の伝達が停止する。またこのとき、光ヘッド４のラック４２は第１小歯車７１２と歯合しており、駆動モータ９の駆動によって光ディスクＤｓの周方向へ移動する。このとき、ストッパ部材がローダーシャーシ３１に設けられた凸部と係合し、振動、衝撃等の小さな力が付与することでカムスライダー３４がＥ２方向に移動するのを抑制している。
【００７１】
光ディスクＤｓはクランプ部材８０とターンテーブル６１とによりクランプされた光ディスクＤｓは、スピンドルモータ６を駆動することで回転する。このとき、光ディスクＤｓはターンテーブル６１に対して滑ったり、ずれたりしにくいので、光ヘッド４より光ディスクＤｓに対して安定してレーザ光を照射することができる。
【００７２】
以上のように、ディスク装置Ａでは１つの駆動モータ９の回転によって、光ヘッド４、トラバースユニット２、ディスクトレイ１、クランプアーム８を動作させることが可能になっている。なお、上記例では、ディスクトレイ１のクローズ、トラバースユニット２の上昇、光ディスクＤｓのクランプ及び光ヘッド４の外周への移動に係る一連の動作について説明したが、駆動モータ９をＡ２方向（逆回転：図３参照）に回転させることで、各部分は上記Ｂ１〜Ｇ１方向とは逆のＢ２〜Ｇ２方向に回転又は移動する。これにより、光ヘッド４の内周への移動、光ディスクのディスクトレイ１への載置、トラバースユニット２の下降及びディスクトレイ１のオープンにかかる動作も可能となっている。
【産業上の利用可能性】
【００７３】
本発明は、ＤＶＤ、ＣＤ等の光ディスクを記録媒体とする光ディスク装置において適用することができる。
【図面の簡単な説明】
【００７４】
【図１】本発明にかかる光ディスク装置の斜視図である。
【図２】本発明にかかる光ディスク装置内部の概略平面図である。
【図３】図２に示す光ディスク装置からローダーシャーシ、ディスクトレイを省略した概略構成図である。
【図４】下方から見た光ディスク装置内部の概略構成図である。
【図５】フロントパネル側から見た光ディスク装置内部の概略構成図である。
【図６】側方から見た光ディスク装置内部の概略構成図である。
【図７】本発明にかかる光ディスクに配置されるクランプアームの平面図である。
【図８】図７に示すクランプアームの側面図である。
【図９】ディスクトレイの移動を説明するブロック図である。
【図１０】ディスクトレイの移動からトラバースユニットの移動への切り替えについて説明するブロック図である。
【図１１】トラバースユニットの移動について説明するブロック図である。
【図１２】光ディスクのクランプ及び光ヘッドの移動について説明するブロック図である。
【符号の説明】
【００７５】
Ａ  光ディスク装置
１  ディスクトレイ
１１  ガイド溝
１２  トレイラック
２  トラバースユニット
２１  トラバースシャーシ
２２  突起部
３  ローダーシャーシユニット
３１  ローダーシャーシ
３２  クランプ
３３  ギアトレイ
３４  カムスライダー
４  光ヘッド
５  レバートリガー
５１  トリガーガイド
５２  連結ボス
６  スピンドルモータ
６１  ターンテーブル
７  駆動力伝達歯車機構
７１  第１歯車
７２  第２歯車
７３  第３歯車
８  クランプアーム
８０  クランプ部材
８１  クランププレート
８２  クランプ支持部
８３  軸支部材
８４  ばね部材
８５  突出部
８６  クランプ押え部材
９  駆動モータ
９０  駆動軸
９１  ピニオンギア
【図１】
2007141356.tif 000003
【図２】
2007141356.tif 000004
【図３】
2007141356.tif 000005
【図４】
2007141356.tif 000006
【図５】
2007141356.tif 000007
【図６】
2007141356.tif 000008
【図７】
2007141356.tif 000009
【図８】
2007141356.tif 000010
【図９】
2007141356.tif 000011
【図１０】
2007141356.tif 000012
【図１１】
2007141356.tif 000013
【図１２】
2007141356.tif 000014